(57)【特許請求の範囲】
【請求項１】
上方付勢状態で押込み可能にステムを起立した吐出器に装着される押下ヘッドであって、
頂壁部、この頂壁部の外周縁部から下方に向けて延設された周壁部、およびノズル孔を備えるとともに、内部に前記ステム内に連通しかつノズル孔を介して外部に連通可能な弁室が画成されたヘッド本体と、
天壁部、この天壁部の下面から下方に向けて延設されてステムに連結される装着筒、およびこの装着筒よりも大径でかつ天壁部の外周縁部に上下方向に沿って延設された案内筒を備える装着筒部材と、が備えられ、
この装着筒部材は、前記ヘッド本体の内部において周壁部の内周面に突設された環状突部と弁室との間に、前記案内筒の下端縁が前記環状突部により下側から支持されかつこの案内筒がヘッド本体に対して相対的に上昇摺動可能に嵌合されて配置され、
前記弁室には、前方付勢状態で前記ノズル孔を閉塞する弁部材が設けられ、
この弁部材の後端部には、下方に向かうに従い前方に向けて屈曲させられてその下端部が前記天壁部上に配置され、かつ装着筒部材に対するヘッド本体の押下時に弁部材を後退移動させるように揺動可能に支持された梃子部材が連結され、
前記装着筒部材の案内筒内には、この案内筒の径方向内方に向けた変形を規制する規制リングが嵌合されていることを特徴とする押下ヘッド。
【請求項２】
請求項１記載の押下ヘッドにおいて、
前記規制リングの内周面には、その径方向内方に向けてフランジ部が突設されていることを特徴とする押下ヘッド。
【請求項３】
請求項２記載の押下ヘッドにおいて、
前記ステムと装着筒との間に筒状のアダプタが設けられ、
前記規制リングは、前記アダプタと一体に形成されていることを特徴とする押下ヘッド。
【発明の詳細な説明】
【技術分野】
【０００１】
本発明は、上方付勢状態で押込み可能にステムを起立した吐出器に装着する押下ヘッドに関するものである。
【背景技術】
【０００２】
この種の押下ヘッドとして、例えば下記特許文献１に示されるような、頂壁部、この頂壁部の外周縁部から下方に向けて延設された周壁部、およびノズル孔を備えるとともに、内部に吐出器のステム内に連通しかつノズル孔を介して外部に連通可能な弁室が画成されたヘッド本体と、天壁部、この天壁部の下面から下方に向けて延設されてステムに嵌合された装着筒、およびこの装着筒よりも大径でかつ天壁部の外周縁部に上下方向に沿って延設された案内筒を備える装着筒部材と、が備えられた構成が知られている。
装着筒部材は、前記ヘッド本体の内部において周壁部の内周面に突設された環状突部と弁室との間に、前記案内筒の下端縁が前記環状突部により下側から支持されかつこの案内筒がヘッド本体に対して相対的に上昇摺動可能に嵌合されて配置されている。
また、弁室には、前方付勢状態で前記ノズル孔を閉塞する弁部材が設けられている。この弁部材の後端部には、下方に向かうに従い前方に向けて屈曲させられてその下端部が前記天壁部上に配置され、かつ装着筒部材に対するヘッド本体の押下時に弁部材を後退移動させるように揺動可能に支持された梃子部材が連結されている。
【特許文献１】特開２００２−３２６０４４号公報
【発明の開示】
【発明が解決しようとする課題】
【０００３】
しかしながら、前記従来の押下ヘッドでは、例えばヘッド本体に外力が作用したときに、ヘッド本体が装着筒部材に対して上方に移動し、ヘッド本体の環状突部が案内筒を縮径変形させつつこの案内筒の下端縁を乗り越え、装着筒部材がステム上に残存したままヘッド本体が装着筒部材から外れるおそれがあった。
なお、このような問題を解決するための手段として、ヘッド本体の周壁部に設けた環状突部の径方向内方に向けた突出量を大きくすることも考えられるが、ヘッド本体を射出成形する場合に、金型構造を複雑にしなければ成形されたヘッド本体を脱型することが困難になり、押下ヘッドの製造コストを増大させることになる。
【０００４】
本発明は、このような事情を考慮してなされたもので、製造コストを増大させることなく、ヘッド本体が装着筒部材から外れるのを抑制することができる押下ヘッドを提供することを目的とする。
【課題を解決するための手段】
【０００５】
上記課題を解決して、このような目的を達成するために、本発明の押下ヘッドは、上方付勢状態で押込み可能にステムを起立した吐出器に装着される押下ヘッドであって、頂壁部、この頂壁部の外周縁部から下方に向けて延設された周壁部、およびノズル孔を備えるとともに、内部に前記ステム内に連通しかつノズル孔を介して外部に連通可能な弁室が画成されたヘッド本体と、天壁部、この天壁部の下面から下方に向けて延設されてステムに連結される装着筒、およびこの装着筒よりも大径でかつ天壁部の外周縁部に上下方向に沿って延設された案内筒を備える装着筒部材と、が備えられ、この装着筒部材は、前記ヘッド本体の内部において周壁部の内周面に突設された環状突部と弁室との間に、前記案内筒の下端縁が前記環状突部により下側から支持されかつこの案内筒がヘッド本体に対して相対的に上昇摺動可能に嵌合されて配置され、前記弁室には、前方付勢状態で前記ノズル孔を閉塞する弁部材が設けられ、この弁部材の後端部には、下方に向かうに従い前方に向けて屈曲させられてその下端部が前記天壁部上に配置され、かつ装着筒部材に対するヘッド本体の押下時に弁部材を後退移動させるように揺動可能に支持された梃子部材が連結され、前記装着筒部材の案内筒内には、この案内筒の径方向内方に向けた変形を規制する規制リングが嵌合されていることを特徴とする。
この発明では、規制リングが設けられているので、ヘッド本体に外力などが作用したときに、ヘッド本体が装着筒部材に対して上方に移動させられ環状突部が案内筒の下端縁を乗り越えようとしても、案内筒の縮径変形が規制されることからヘッド本体が装着筒部材から外れるのを抑制することができる。
また、このような作用効果を奏功させるために、規制リングを設ければ足りるので、装着筒部材を射出成形する場合に、現行の金型をほぼそのまま適用することが可能になり、製造コストの増大を抑えることもできる。
【０００６】
ここで、前記規制リングの内周面には、その径方向内方に向けてフランジ部が突設されてもよい。
この場合、規制リングの内周面に、その径方向内方に向けてフランジ部が突設されているので、案内筒に付与する縮径変形に対する抵抗力をより一層高めることが可能になる。さらに、フランジ部の径方向内方端を装着筒部材における装着筒の外周面に当接させた場合には、案内筒の縮径変形を確実に防ぐことができる。
【０００７】
また、前記ステムと装着筒との間に筒状のアダプタが設けられ、前記規制リングは、前記アダプタと一体に形成されてもよい。
この場合、アダプタが設けられているので、この押下ヘッドを適用可能な容器の種類を増大することが可能になり、さらには前記規制リングがアダプタと一体に形成されているので、この押下ヘッドの部品点数を抑えて製造コストの増大を抑制することができる。
【発明の効果】
【０００８】
この発明に係る押下ヘッドによれば、製造コストを増大させることなく、ヘッド本体が装着筒部材から外れるのを抑制することができる。
【発明を実施するための最良の形態】
【０００９】
以下、図面を参照し、この発明の実施の形態について説明する。この実施形態に係る押下ヘッド１は、上方付勢状態で押込み可能にステム２を起立した吐出器に装着されるものであって、頂壁部１３ｂ、この頂壁部１３ｂの外周縁部から下方に向けて延設された周壁部１３ａ、およびノズル孔１２を備えるとともに、内部にステム２内に連通しかつノズル孔１２を介して外部に連通可能な弁室Ａが画成されたヘッド本体４と、天壁部８、この天壁部８の下面から下方に向けて延設されてステム２に連結される装着筒７、およびこの装着筒７よりも大径でかつ天壁部８の外周縁部に上下方向に沿って延設された案内筒１０を備える装着筒部材３と、が備えられている。
【００１０】
装着筒部材３は、ヘッド本体４の内部において周壁部１３ａの内周面に突設された環状突部１３ｃと弁室Ａとの間に、案内筒１０の下端縁が環状突部１３ｃにより下側から支持されかつこの案内筒１０がヘッド本体４に対して相対的に上昇摺動可能に嵌合されて配置されている。なお、図示の例では、環状突部１３ｃは、周壁部１３ａの下端部における内周面にその全周にわたって突設されている。また、弁室Ａには、前方付勢状態でノズル孔１２を閉塞する弁部材５が設けられている。
【００１１】
図示の例では、装着筒部材３の装着筒７内にステム２の上端部が嵌合されている。また、天壁部８の上面には、装着筒７よりも小径でかつこの装着筒７と同軸に配置された摺動筒９が立設されている。この摺動筒９の上端部は上方に向かうに従い漸次拡径している。また、装着筒７および摺動筒９はそれぞれ、天壁部８の径方向中央部に形成された貫通孔８ａの開口周縁部に同軸上に配置され、摺動筒９は貫通孔８ａを介してステム２の内部と連通している。
さらに、案内筒１０は、天壁部８の外周縁部から下方に向けて延設されている。なお、案内筒１０の長さは装着筒７の長さよりも短くなっている。また、装着筒７の外周面と案内筒１０の内周面との間には径方向に隙間が設けられている。
【００１２】
また、天壁部８の外周縁部には、図２に示されるように、上方に向けて延びる一対のガイド板１５が径方向で互いに対向させられた状態で設けられている。各ガイド板１５の外周面には、上下方向に沿って延在し案内筒１０の下端に至るガイド溝１７が形成されており、これらの各ガイド溝１７内に、ヘッド本体４の周壁部１３ａの内周面に形成された図示されない摺動突起が上下摺動可能に嵌合されている。このように摺動突起がガイド溝１７に嵌合されることにより、ヘッド本体４が装着筒部材３に対して回転したり、あるいはヘッド本体４が装着筒部材３に対して上下摺動する際に傾いたりするのを防止できるようになっている。
【００１３】
ここで、ヘッド本体４の周壁部１３ａにおける上部には、前方に向けて開口する貫通孔が形成され、この貫通孔の開口周縁部から後方に向けて延在するとともに、後端壁１４ａが周壁部１３ａの後部から径方向内側に離れて位置する横筒１４が設けられている。これにより、横筒１４の後端壁１４ａと周壁部１３ａの後部における内面との間には隙間Ｂが設けられている。
そして、この横筒１４内の前側部分に、前端部にノズル孔１２が形成された筒状のノズル１６が、ノズル孔１２を周壁部１３ａから径方向外方に突出させた状態で装着されている。
【００１４】
ここで、装着筒部材３の天壁部８に上側から対向する横筒１４の下端壁１４ｂには、横筒１４の内部に連通したシリンダ１１が垂設されており、このシリンダ１１内に、摺動筒９がシリンダ１１に対して相対的に上昇摺動可能に嵌合されている。また、横筒１４の後端壁１４ａには貫通孔が形成されており、この貫通孔内に、弁部材５の後部が後退摺動可能に支持されるシリンダ筒１８が嵌着されている。
そして、ヘッド本体４内の弁室Ａは、それぞれが同軸上に配置された横筒１４、ノズル１６、およびシリンダ筒１８の各内部によって構成されている。また、この弁室Ａは、シリンダ１１および摺動筒９の各内部を介してステム２の内部と連通している。
【００１５】
弁部材５は棒状とされ、横筒１４、ノズル１６、およびシリンダ筒１８と略同軸上に配置され、この弁部材５の後端部が、横筒１４の後端壁１４ａに形成された貫通孔から前記隙間Ｂに突出した状態で、弁室Ａに設けられている。なお、弁部材５において弁室Ａから前記隙間Ｂに突出した後端部には凹溝２３がその全周にわたって形成されている。
【００１６】
弁部材５の外周面には、その軸線方向の中央部から後方に向けて漸次拡径したスカート状部２０が設けられ、さらにこのスカート状部２０の後端縁には、径方向外方に折り返されて前方に向けて延びる逆スカート状部２１が連設されている。そして、この逆スカート状部２１がシリンダ筒１８の内周面に後退摺動可能に嵌合されている。また、弁部材５は、その外周面におけるスカート状部２０の連結部分と、横筒１４の後端壁１４ａとの間に介在されたコイルスプリング２２により、前方に付勢されている。これにより、弁部材５の前端部５ｂをノズル孔１２の内周面に密接させてこのノズル孔１２を閉塞できるようになっている。
【００１７】
ここで、弁部材５において弁室Ａから後方に突出した後端部には、下方に向かうに従い前方に向けて屈曲させられてその下端部が天壁部８上に配置され、かつ装着筒部材３に対するヘッド本体４の押下時に弁部材５を後退移動させるように揺動可能に支持された梃子部材６が連結されている。この梃子部材６は、図１に示されるようなこの押下ヘッド１の側面視において、上下方向に長い長方形状に形成された第１平板部２４と、上方から下方に向かうに従い漸次前方に向かう傾斜方向に長い長方形状に形成された第２平板部２５と、を備え、第１平板部２４の下端と第２平板部２５の上端とが連結されてＬ字状をなしている。そして、これらの第１平板部２４と第２平板部２５との連結部分において、前後方向および上下方向の双方に直交する直交方向の両端部に、前記直交方向に向けてピン部材２８が各別に突設されている。
【００１８】
第１平板部２４の上部において前記直交方向の中央部には、前後方向に貫通しかつ上方に向けて開口する第１切り欠き部２６が形成されており、この第１切り欠き部２６内に、弁部材５の前記凹溝２３が嵌合されている。
第２平板部２５の下部において前記直交方向の中央部には、上下方向に貫通しかつ前方に向けて開口する第２切り欠き部２７が形成されており、この第２切り欠き部２７内に、装着筒部材３の摺動筒９およびヘッド本体４のシリンダ１１が配置されている。
【００１９】
ここで、ピン部材２８は、ヘッド本体４内に設けられた一対の軸受２９に回転自在に支持されている。これらの軸受２９は、周壁部１３ａの内周面において横筒１４の直下に位置する部分に嵌着された取り付け板３０と一体に形成されている。すなわち、軸受２９は、取り付け板３０の下面において前記隙間Ｂの直下に位置する部分に前記直交方向に間隔をあけて垂設された一対の板状体とされ、各板状体に上下方向に延在し下方に向けて開口する長穴２９ａが形成されて構成されている。
そして、一対の軸受２９の各長穴２９ａにピン部材２８を各別に挿入することにより、梃子部材６がピン部材２８回りに揺動するようになっている。
【００２０】
なお、取り付け板３０には、梃子部材６の第１平板部２４をピン部材２８回りに前後方向に揺動可能に挿通させる窓孔３０ｂが形成されている。また、取り付け板３０の外周縁部には径方向に開口する切欠部３３が形成されており、この切欠部３３にヘッド本体４の周壁部１３ａの内周面に突設した係止リブ３４を係合することによって、この取り付け板３０の周壁部１３ａに対する回転を防ぐようになっている。
【００２１】
ここで、本実施形態では、例えば、ステム２の上方付勢力を、弁部材５を前方付勢するコイルスプリング２２の付勢力よりも大きくしたり、あるいは摺動筒９とシリンダ１１との間の摩擦力や梃子部材６の揺動時に発生する摩擦力等を適宜設定したりする等して、装着筒部材３に対するヘッド本体４の押下抗力が、ステム２の押下抗力よりも小さくなっている。
【００２２】
そして、本実施形態では、装着筒部材３における案内筒１０の内周面に、この案内筒１０の径方向内方に向けた変形を規制する規制リング１９が嵌合されている。図示の例では、規制リング１９の上下方向における長さは、案内筒１０の上下方向における長さと同等になっている。また、この規制リング１９の内周面と装着筒７の外周面との間には隙間が設けられている。さらに、本実施形態では、規制リング１９の下端部には、その径方向内方に向けてフランジ部１９ａが突設されている。このフランジ部１９ａの径方向内方端縁は、装着筒７の下端部における外周面に近接している。
【００２３】
以上の構成において、コイルスプリング２２により第１平板部２４の上端部や弁部材５が前方に付勢されて弁部材５がノズル孔１２を閉塞しかつ第１平板部２４の下端部が天壁部８を下方に押圧した状態から、ヘッド本体４の頂壁部１３ｂを下方に押圧すると、まず、ステム２の押下抗力の方がヘッド本体４の装着筒部材３に対する押下抗力よりも大きいため、ステム２は押し下げられず、装着筒部材３に対してヘッド本体４が押し下げられる。
【００２４】
この際、梃子部材６は、コイルスプリング２２による前方付勢力に抗して、その下端部が装着筒部材３の天壁部８上を前方に向けて摺動させられつつこの天壁部８により押し上げられ、かつ上端部が後方へ移動させられるようにピン部材２８回りに揺動する。これにより、弁部材５が梃子部材６の上端部とともに後方へ移動させられてノズル孔１２が開口する。さらにこの際、ヘッド本体４の環状突部１３ｃが装着筒部材３の案内筒１０における下端縁から下方に離間する。
【００２５】
そして、さらにヘッド本体４の頂壁部１３ｂを下方に押圧することにより、シリンダ１１の下端を装着筒部材３の天壁部８の上面に当接させて、この押下力を装着筒部材３を介してステム２に伝えステム２を下方に移動させ、容器体内の液体をステム２内から摺動筒９を介して弁室Ａ内に流入させることによって、ノズル孔１２から液体を外部に噴出させる。
【００２６】
次に、ヘッド本体４の頂壁部１３ｂに対する前記押圧を解除すると、ステム２の上方付勢力によりヘッド本体４が装着筒部材３とともに上昇し、かつコイルスプリング２２の弾性復元力により弁部材５が梃子部材６の上端部とともに前方へ移動する。この過程において、まずステム２が上昇端位置に戻り、その後でノズル孔１２が閉塞され、かつ梃子部材６の下端部が装着筒部材３の天壁部８を下方に押圧してヘッド本体４を装着筒部材３に対して上方に押し上げる。
【００２７】
以上説明したように本実施形態に係る押下ヘッド１によれば、規制リング１９が設けられているので、ヘッド本体４に外力などが作用したときに、ヘッド本体４が装着筒部材３に対して上方に移動させられ環状突部１３ｃが案内筒１０の下端縁を乗り越えようとしても、案内筒１０の縮径変形が規制されることからヘッド本体４が装着筒部材３から外れるのを抑制することができる。
なお、これとは逆に、弁部材５の後端部から梃子部材６の上端部に伝達された前方付勢力により梃子部材６の下端部が天壁部８を下方に向けて押圧する力や、その他の例えば弁室Ａの内圧などによって、装着筒部材３がヘッド本体４に対して下方に移動させられ、案内筒１０の下端縁がヘッド本体４の環状突部１３ｃを乗り越えようとしても、案内筒１０の縮径変形が規制されることから、装着筒部材３がヘッド本体４から脱落するのを抑制することもできる。
また、このような作用効果を奏功させるために、規制リング１９を設ければ足りるので、装着筒部材３を射出成形する場合に、現行の金型をほぼそのまま適用することが可能になり、製造コストの増大を抑えることもできる。
【００２８】
さらに、本実施形態では、規制リング１９の内周面に、その径方向内方に向けてフランジ部１９ａが突設されているので、案内筒１０に付与する縮径変形に対する抵抗力をより一層高めることが可能になる。
【００２９】
なお、本発明の技術的範囲は前記実施の形態に限定されるものではなく、本発明の趣旨を逸脱しない範囲において種々の変更を加えることが可能である。
例えば前記実施形態では、規制リング１９にフランジ部１９ａを設けたが、このフランジ部１９ａは設けなくてもよい。また、フランジ部１９ａを形成する上下方向位置は、例えば上下方向中央部や上部等、前記実施形態に限らず適宜変更してもよい。
また、規制リング１９の上下方向における長さも前記実施形態に限らず適宜変更してもよい。
さらに、この押下ヘッド１を装着する吐出器としては、例えばシリンダやピストン等を有するポンプやエアゾール式の吐出器等、その形態は適宜選択してもよい。
また、フランジ部１９ａの径方向内方端を装着筒部材３における装着筒７の外周面に当接させてもよい。この場合、案内筒１０の縮径変形を確実に防ぐことができる。
【００３０】
また、図１で示した押下ヘッド１に代えて、例えば図３に示されるような押下ヘッド４０を採用してもよい。この図３に示す押下ヘッド４０には、装着筒部材３の装着筒７内に筒状のアダプタ４１が嵌合されており、このアダプタ４１の下端部内に図示されないステムが嵌合されるようになっている。図示の例では、アダプタ４１は、装着筒７内に嵌合された上部４１ａと、この上部４１ａよりも大径でかつ装着筒７の下端縁から下方に向けて延びる下部４１ｂと、を有する２段筒状に形成されている。そして、このアダプタ４１の上部４１ａが装着筒７内に嵌合された状態で、アダプタ４１において上部４１ａと下部４１ｂとの間の段部４１ｃ上に装着筒７の下端縁が下側から支持されるようになっている。また、アダプタ４１の下端部は、内部に装着筒部材３が配置されたヘッド本体４の下端縁よりも下方に位置している。
【００３１】
さらに、このアダプタ４１と、フランジ部１９ａを有する規制リング１９とが一体に形成されている。図示の例では、規制リング１９には、フランジ部１９ａの径方向内方端に下方に向けて延設され、その下端部がアダプタ４１の段部４１ｃに径方向外側から段差無く連なる筒部１９ｂが備えられ、この筒部１９ｂを介して規制リング１９とアダプタ４１とが連結されている。
【００３２】
この図３に示されるような構成の場合、アダプタ４１が設けられているので、この押下ヘッド４０を適用可能な容器の種類を増大することが可能になり、さらには規制リング１９がアダプタ４１と一体に形成されているので、この押下ヘッド４０の部品点数を抑えて製造コストの増大を抑制することができる。
なお、図３に示される構成においても、フランジ部１９ａの径方向内方端を装着筒部材３における装着筒７の外周面に当接させてもよい。この場合、案内筒１０の縮径変形を確実に防ぐことができる。
【産業上の利用可能性】
【００３３】
製造コストを増大させることなく、ヘッド本体が装着筒部材から外れるのを抑制することができる。
【図面の簡単な説明】
【００３４】
【図１】本発明に係る一実施形態として示した押下ヘッドを示す概略縦断面図である。
【図２】図１に示す装着筒部材を示す（ａ）側面図および（ｂ）底面図である。
【図３】本発明に係る他の実施形態として示した押下ヘッドを示す概略縦断面図である。
【符号の説明】
【００３５】
１、４０  押下ヘッド
２  ステム
３  装着筒部材
４  ヘッド本体
５  弁部材
６  梃子部材
７  装着筒
８  天壁部
１０  案内筒
１２  ノズル孔
１３ａ  周壁部
１３ｂ  頂壁部
１３ｃ  環状突部
１９  規制リング
１９ａ  フランジ部
Ａ  弁室
【図１】
0005075599.tif 000002
【図２】
0005075599.tif 000003
【図３】
0005075599.tif 000004